(57)【要約】【課題】モータ内部への金属粉の侵入を確実に防止することができ、しかも低コストに実施することが可能なアウタロータ型モータを提供する。【解決手段】ロータ２をステータ１に外嵌させ、ステータ１に設けたコイルに通電することによってロータ２を回転させるアウタロータ型モータである。ロータ２は、環状の永久磁石８を樹脂モールドすることによって形成されており、永久磁石８の磁力により、ロータ２の外周部に磁性を付与する。上記永久磁石８は、内周部から外周部までの全ての部分が着磁されている。【選択図】図２
2008099520.tif 000002
【特許請求の範囲】
【請求項１】
ロータ（２）をステータ（１）に外嵌させ、ステータ（１）に設けたコイルに通電することによってロータ（２）を回転させるアウタロータ型モータにおいて、ロータ（２）の外周部に磁性を付与していることを特徴とするアウタロータ型モータ。
【請求項２】
上記ロータ（２）は、環状の永久磁石（８）を樹脂モールドすることによって形成されており、上記永久磁石（８）の磁力により、ロータ（２）の外周部に磁性を付与していることを特徴とする請求項１のアウタロータ型モータ。
【請求項３】
上記永久磁石（８）は、内周部から外周部までの全ての部分が着磁されていることを特徴とする請求項２のアウタロータ型モータ。
【発明の詳細な説明】
【技術分野】
【０００１】
この発明は、アウタロータ型モータに関するもので、特に内部への異物の侵入を防止することの可能なアウタロータ型モータに関するものである。
【背景技術】
【０００２】
空気調和機においては、図４に示すように、クロスフローファンＦの駆動用にアウタロータ型モータＭ使用されている、このアウタロータ型モータＭは、図３に示すように、ステータ５１の外周部にロータ５２を配置した構造のもので、ステータ５１にはコイル（図示せず）が、また、ロータ５２には永久磁石（図示せず）がそれぞれ内設されている。この種のアウタロータ型モータＭは、トルクの発生部分がモータの外周部にあるため、トルク発生部分の面積を大きくでき、そのためモータサイズを小さくできるという利点がある。
【０００３】
このようなアウタロータ型モータＭにおいては、図３でも明らかな通り、ステータ５１とロータ５２との間に隙間ができ、水や油などの液体や、塵埃などの異物が、図中矢線Ａで示す経路を通ってモータ内部に侵入し、各種不具合の発生原因となることがある。そのためステータ５１とロータ５２との隙間から異物が侵入するのを防止する異物侵入防止機構についての各種提案がなされている。例えば、特許文献１では、ステータ側にリング状の突起を設け、これをロータ側に設けたエンドリングで覆うことで隙間を小さくする対策が採られ、また、特許文献２では、ステータ側に防水カバー部を設け、このカバー部でロータ外周部を覆うことで隙間を小さくする対策が採られている。
【特許文献１】特開平１１−２１５７５８号公報
【特許文献２】特開２０００−１４０７２号公報
【発明の開示】
【発明が解決しようとする課題】
【０００４】
しかしながら、各特許文献の防止対策では、隙間を小さくしているので、ある程度の異物の侵入は防止し得るが、小さな隙間を確保し得る距離が短いため、異物の進入防止効果が充分に得られているとはいい難い状態である。また、小さな隙間を確保するためには、各部品の寸法精度を極めて高くする必要があり、コストアップを招くという問題もある。しかも、充分な寸法精度を得られないような場合には、各部の接触による異音発生の問題も生じる。
【０００５】
さらに上記に加え、アウタロータ型モータＭにおいて、ステータ５１とロータ５２との間の隙間に侵入して、最も大きな問題を発生させるのは、金属粉である。しかしながら上記従来の異物侵入防止機構では、微細金属粉（鉄粉）に対しては、殆ど機能しないという欠点がある。
【０００６】
この発明は、上記従来の課題を解決するためになされたものであって、その目的は、モータ内部への金属粉の侵入を確実に防止することができ、しかも低コストに実施することが可能なアウタロータ型モータを提供することにある。
【課題を解決するための手段】
【０００７】
そこで請求項１のアウタロータ型モータは、ロータ２をステータ１に外嵌させ、ステータ１に設けたコイルに通電することによってロータ２を回転させるアウタロータ型モータにおいて、ロータ２の外周部に磁性を付与していることを特徴とする。
【０００８】
請求項２のアウタロータ型モータは、上記ロータ２は、環状の永久磁石８を樹脂モールドすることによって形成されており、上記永久磁石８の磁力により、ロータ２の外周部に磁性を付与していることを特徴としている。
【０００９】
請求項３のアウタロータ型モータは、上記永久磁石８は、内周部から外周部までの全ての部分が着磁されていることを特徴としている。
【発明の効果】
【００１０】
この発明のアウタロータ型モータでは、ロータ２の外周部に磁性が付与されているので、その近くを流通する空気に含まれる鉄粉などの金属粉が吸着され、モータ内部への金属粉の侵入を確実に防止することが可能となる。また、ロータ２の外周に磁性を付与するだけでよいので、低コストに実施が可能である。
【００１１】
また、ロータ２に磁性を付与するのに永久磁石８の磁力を利用すれば、一段と低コストに実施可能である。さらに、永久磁石８の全ての部分を着磁すれば、一段と確実に金属粉の侵入を防止できる。
【発明を実施するための最良の形態】
【００１２】
次に、この発明のアウタロータ型モータの具体的な実施の形態について、図面を参照しつつ詳細に説明する。図１はアウタロータ型モータＭの全体の概略縦断面図であり、図２はその要部の縦断面図である。このモータＭは、上記において説明した通り、空気調和機の室内機において、クロスフローファンＦを回転駆動するのに用いられる。アウタロータ型モータＭは、ステータ１と、このステータ１の内部において回転駆動されるロータ２とを有している。ステータ１は、図示しないがコイルを有し、また、ロータ２は、図示しないが永久磁石を有している。ステータ１は、概略筒状のモータ固定部材４で覆われると共に、このモータ固定部材４のモータ取付部３によって、室内機（図４）の本体側（底フレーム）に固定されている。
【００１３】
上記ステータ１は、概略円柱状に樹脂モールドされたものであって、その軸心部には、中空シャフト５が貫通状態で配置され、中空シャフト５の内部には、軸受６が支持されている。一方、ロータ２は、ステータ１側に向けて開口する概略皿状に樹脂モールドされたもので、その軸心部には、支持軸７がステータ１に向けて突設されている。そして、ロータ２の開口部の内側にステータ１を位置させると共に、支持軸７を上記ステータ１側の軸受６に挿入するようにして、ロータ２をステータ１に外嵌させている。なお、ロータ２の開口部とは反対側には、クロスフローファンＦが装着されている。
【００１４】
上記ロータ２は、環状の永久磁石８を樹脂モールドしたものである。永久磁石８は、Ｎ極とＳ極とを周方法に並設して構成されたもので、その内周部だけでなく外周部に至るまでその全体が着磁されている。この結果、ロータ２は、その外周部において、磁性を付与されたものとなっている。従って、図２に矢線Ａで示す空気流通経路（クロスフローファンＦによる空気流通部分からステータ１とロータ２との隙間に至る部分）の途中に磁性部（磁界、磁場の存在する部分）Ｒが介設されている。なお、図１及び図２における右側部分、すなわちクロスフローファンＦによる空気流通部分と反対側は、ステータ１及びモータ固定部材４によって閉鎖されている。
【００１５】
上記実施形態におけるアウタロータ型モータＭでは、ロータ２の外周部に磁性が付与されているので、図２において矢線Ａで示す空気流通経路を流通する空気に含まれる鉄粉などの金属粉が磁性部Ｒに吸着され、モータ内部への金属粉の侵入を確実に防止することが可能となる。また、ロータ２に磁性を付与するのに永久磁石８の磁力を利用しているので、低コストに実施可能である。さらに、永久磁石８の全ての部分を着磁しているので、強い磁場が形成でき、確実に金属粉の侵入を防止できる。
【００１６】
以上にこの発明の具体的な実施の形態について説明したが、この発明は上記形態に限定されるものではなく、この発明の範囲内で種々変更して実施することができる。例えば、上記実施形態では、永久磁石８の全ての部分を着磁しているが、これは内周部だけを着磁するようにしてもよい。従来より、永久磁石８の着磁は内周部だけに行われており、外周部は磁性を帯びていないが、それよりも外周部にまで着磁を行い、ロータ２の外周部に磁性を付与するのである。また、永久磁石８を利用すれば、低コストに実施可能ではあるが、これとは別に永久磁石を設けてもよい。さらに、モータＭも空気調和機の室内機以外の各種機器に適用することが可能である。
【図面の簡単な説明】
【００１７】
【図１】この発明のアウタロータ型モータの実施形態につき、その全体の概略構成を示す縦断面図である。
【図２】上記アウタロータ型モータの要部の縦断面図である。
【図３】従来のアウタロータ型モータの概略構成を示す縦断面図である。
【図４】アウタロータ型モータの適用例を示す説明図である。
【符号の説明】
【００１８】
１・・ステータ、２・・ロータ、８・・永久磁石、Ｒ・・磁性部、Ｍ・・アウタロータ型モータ
【図１】
2008099520.tif 000003
【図２】
2008099520.tif 000004
【図３】
2008099520.tif 000005
【図４】
2008099520.tif 000006